(57)【特許請求の範囲】
【請求項１】
筐体内に弾性的に吊支した外槽と、回転中心軸を略鉛直方向に有し前記外槽内に回転自在に支持し洗濯物を収容する内槽と、前記内槽の内底部に回転自在に設けた回転翼と、前記内槽または回転翼を駆動する駆動手段と、前記内槽内に送風する送風手段と、前記送風手段により送風される空気を加熱する加熱手段と、熱交換器を有し前記送風手段による温風を循環させる温風循環経路と、前記筐体内部に外部から冷却風を導入する冷却送風手段と、前記熱交換器への循環風の入り口側に開閉手段を有する排気口と、前記熱交換器の出口側に開閉手段を有する吸気口と、前記駆動手段、送風手段、加熱手段、冷却送風手段の動作を制御し、洗い、すすぎ、脱水、乾燥行程を制御する制御手段とを備え、前記制御手段は、乾燥行程開始から所定時間経過するまで、前記温風循環経路における温風を前記冷却送風手段により除湿、冷却しながら循環させ、所定時間経過後に、前記排気口と前記吸気口の開閉手段を開放して、前記温風循環経路を循環する湿気を含む温風の一部を前記排気口より排出し、前記吸気口より外気を吸気し前記温風循環経路を循環する温風と混合して前記加熱手段により加熱し、前記内槽内へ送風するようにした洗濯乾燥機。
【請求項２】
吸気口または排気口は、ばねの押し力により閉塞するパッキングを有するロッドをギヤードモーター、電磁弁などの牽引装置により開閉し、前記牽引装置より先端に径大部を設けたワイヤーを配設し、前記ロッドの牽引装置側を有底略円筒形とし、側面および底面の一部に前記ワイヤーが通る切欠部を形成し、反底面側にて前記ワイヤー先端の径大部を挿入可能とした請求項１記載の洗濯乾燥機。
【発明の詳細な説明】
【０００１】
【発明の属する技術分野】
本発明は、内槽内に温風を送風して洗濯物を乾燥させる行程を有し、洗濯から乾燥までを一貫して実施できる洗濯乾燥機に関するものである。
【０００２】
【従来の技術】
従来、この種の洗濯乾燥機は図６に示すように構成していた。以下、その構成について説明する。
【０００３】
図６に示すように、筐体１は、内部に複数のサスペンション２によって弾性的に吊り下げた外槽３を設け、脱水時の振動をサスペンション２によって吸収する構成としている。外槽３の内部には、洗濯物および乾燥対象物を収容する内槽４を中空で２重構造とした洗濯・脱水軸５を中心に回転可能に配設し、内槽４の内底部に洗濯物や乾燥対象物を撹拌する回転翼６を回転自在に配設している。回転翼６は外周が傾斜面形状の鍋型に形成している。
【０００４】
また、内槽４の内部周壁には小孔（図示せず）を多数設けるとともに、上方には流体バランサ７を設けている。モータ８は、外槽３の底部に取り付け、洗濯または脱水時に回転力の伝達を洗濯・脱水軸５に切り換えるクラッチ９と洗濯・脱水軸５を介して、内槽４または回転翼６に連結している。
【０００５】
熱交換器１０は、循環する湿った温風を除湿するもので、一端を外槽３の下部の排水口１１に接続し、他端を乾燥用送風機１２の一端に接続している。乾燥用送風機１２の他端は、加熱手段であるヒータ１３を有する温風供給路１４に接続し、上部蛇腹状ホース１５を通って、内槽４へ繋がり循環する温風循環経路１６を構成している。
【０００６】
外槽３には、外槽３の上面を気密的に覆う外槽カバー１７を設けており、この外槽カバー１７に伸縮自在の上部蛇腹状ホース１５からの温風噴出孔１８を開口している。さらに、外槽カバー１７に中蓋１９を開閉自在に設け、衣類を出し入れするようにしている。
【０００７】
筐体カバー２０は筐体１の上部を覆うもので、開閉蓋２１を開閉自在に有し、制御装置２２を設けるとともに、給水弁２３を設けている。また、外槽３の底部に外槽３内に水を排水する排水弁２４を設けている。冷却用送風機２５は、筐体１の側面に取り付け、筐体１の内部に外槽３、熱交換器１０などを冷却するように送風できるよう構成している。
【０００８】
制御装置２２は、モータ８、クラッチ９、乾燥用送風機１２、ヒータ１３、給水弁２３、排水弁２４、冷却用送風機２５などの動作を制御し、洗い、すすぎ、脱水、乾燥の各行程を制御するようにしている。
【０００９】
上記構成において動作を説明する。洗い行程では、開閉蓋２１と中蓋１９を開けて、内槽４に洗濯物と洗剤を投入し、運転を開始すると所定の水位まで給水した後、モータ８を駆動する。このとき、伝達機構部のクラッチ９によりモータ８の動力を洗濯軸を介して回転翼６に伝達し、回転翼６が回転することで、洗濯物を撹拌して、洗濯物同士、または内槽４の内壁や回転翼６との接触により作用する機械力と、水流力により行われる。
【００１０】
脱水行程では、洗濯終了後、排水弁２４を開いて内槽４内の水を排水ホース２６より排水した後、伝達機構部のクラッチ９を脱水側に切り換えて、モータ８の動力を脱水軸を介し内槽４に伝達して回転させ、洗濯物に遠心力を与えることにより、水分を洗濯物から分離することで行う。
【００１１】
乾燥行程では、クラッチ９を洗濯側に切り換えてモータ８を駆動して回転翼６に伝達し、回転翼６を急速に正転、反転することで、脱水後に内槽４の内壁に張り付いた洗濯物を引き剥がす。つぎに、回転翼６を正転、反転させて洗濯物を引っかけて撹拌しながら、乾燥用送風機１２とヒータ１３とにより温風を温風噴出口１８に送る。温風噴出口１８より内槽４に吹き込まれた温風は、洗濯物から水分を蒸発させた後、内槽４から外槽３の内側へ出た後、熱交換器１０へ至る。
【００１２】
洗濯物の水分を奪って湿気を含んだ温風が、外槽３の内壁や熱交換器１０内を通過しているとき、筐体１の側面に設置した冷却用送風機２５による外部空気の流入で、外槽３や熱交換器１０の外壁は冷却されることになり、湿った空気の水分はその内壁に結露し、温風は除湿、冷却され、乾燥用送風機１２へと戻る。外槽３の内壁に結露した水分は、排水弁２４を通過して、熱交換器１０の内壁に結露した水分とともに排水ホース２６より排出される。このように、温風循環経路１６で温風を循環させることにより、内槽４内の乾燥対象物を乾燥させることができる。
【００１３】
【発明が解決しようとする課題】
しかしながら、このような従来の構成では、乾燥行程で冷却用送風機２５を回転させることにより熱交換器１０に外気を当てて冷却されることになり、その内部で湿った温風を除湿し、乾燥用送風機１２を介してヒータ１３に至り再加熱されるが、室温が高い場合には、十分な冷却効果が得られず、除湿性能が低下して、湿った温風を循環させることとなり、乾燥時間が長くなるという問題を有していた。
【００１４】
また、内槽４内の衣類のからみ状態によって、循環する温風が流れにくくなることがあり、循環風量の低下によっても乾燥時間が長くなり、ヒータ１３としてＰＴＣヒータを使用した場合には、温度、風量によりヒータ入力は大きく変化し、さらに乾燥時間が長くなるという問題があった。
【００１５】
本発明は上記課題を解決するもので、外気温が高い場合や衣類のからみにより循環風量が低下した場合でも、乾燥時間を短くすることを目的としている。
【００１６】
【課題を解決するための手段】
本発明は上記目的を達成するために、筐体内に弾性的に吊支した外槽内に、回転中心軸を略鉛直方向に有し洗濯物を収容する内槽を回転自在に支持し、内槽の内底部に回転翼を回転自在に設け、内槽または回転翼を駆動手段により駆動し、加熱手段により加熱された温風を送風手段により内槽内に送風して熱交換器を有する温風循環経路を循環させ、冷却送風手段により筐体内部に外部から冷却風を導入し、制御手段により駆動手段、送風手段、加熱手段、冷却送風手段などの動作を制御して、洗い、すすぎ、脱水、乾燥などの行程を制御するよう構成し、熱交換器への循環風の入口側に開閉手段を有する排気口を設け、熱交換器の出口側に開閉手段を有する吸気口を設け、乾燥行程開始から所定時間経過するまで、温風循環経路における温風を冷却送風手段により除湿、冷却しながら循環させ、所定時間経過後に、排気口と吸気口の開閉手段を開放して、温風循環経路を循環する湿気を含む温風の一部を排気口より排出し、吸気口より外気を吸気し温風循環経路を循環する温風と混合して加熱手段により加熱し、内槽内へ送風するようにしたものである。
【００１７】
これにより、外気温が高い場合や衣類のからみにより循環風量が低下した場合でも、内槽への吹き出し風量を低減することなく、温風を供給することができ、乾燥時間を短くすることができる。
【００１８】
【発明の実施の形態】
本発明の請求項１に記載の発明は、筐体内に弾性的に吊支した外槽と、回転中心軸を略鉛直方向に有し前記外槽内に回転自在に支持し洗濯物を収容する内槽と、前記内槽の内底部に回転自在に設けた回転翼と、前記内槽または回転翼を駆動する駆動手段と、前記内槽内に送風する送風手段と、前記送風手段により送風される空気を加熱する加熱手段と、熱交換器を有し前記送風手段による温風を循環させる温風循環経路と、前記筐体内部に外部から冷却風を導入する冷却送風手段と、前記熱交換器への循環風の入り口側に開閉手段を有する排気口と、前記熱交換器の出口側に開閉手段を有する吸気口と、前記駆動手段、送風手段、加熱手段、冷却送風手段の動作を制御し、洗い、すすぎ、脱水、乾燥行程を制御する制御手段とを備え、前記制御手段は、乾燥行程開始から所定時間経過するまで、前記温風循環経路における温風を前記冷却送風手段により除湿、冷却しながら循環させ、所定時間経過後に、前記排気口と前記吸気口の開閉手段を開放して、前記温風循環経路を循環する湿気を含む温風の一部を前記排気口より排出し、前記吸気口より外気を吸気し前記温風循環経路を循環する温風と混合して前記加熱手段により加熱し、前記内槽内へ送風するようにしたものであり、乾燥行程の初期においては、衣類から蒸発水として循環風に含まれた水分は熱交換器で除湿し、温風循環経路で温風を循環させて内槽内の衣類を乾燥させ、所定時間経過後に、湿った温風の一部を排気口より排出しながら外気を吸気口より吸入し、加熱手段により加熱して乾燥に供することにより、外気温が高い場合や衣類のからみにより循環風量が低下した場合でも、内槽への吹き出し風量を低減することなく温風を供給することができ、乾燥時間を短くすることができる。また、所定時間経過後は、衣類へ吹きかける温風の温度を低減できることから、乾燥終了時の衣類のしわを少なくすることができ、ある程度除湿した後に開閉手段を開放することにより、除湿量を著しく低下させることなく、乾燥時間を短くすることができる。
【００１９】
請求項２に記載の発明は、上記請求項１に記載の発明において、吸気口または排気口は、ばねの押し力により閉塞するパッキングを有するロッドをギヤードモーター、電磁弁などの牽引装置により開閉し、前記牽引装置より先端に径大部を設けたワイヤーを配設し、前記ロッドの牽引装置側を有底略円筒形とし、側面および底面の一部に前記ワイヤーが通る切欠部を形成し、反底面側にて前記ワイヤー先端の径大部を挿入可能としたものであり、吸気口または排気口を開閉する機構とこれを駆動する牽引装置との連結を確実かつ簡略化することができ、コストを低減できるとともに、信頼性を向上することができる。吸気口または排気口を開閉する機構とこれを駆動する牽引装置との連結を確実かつ簡略化することができ、コストを低減できるとともに、信頼性を向上することができる。
【００２０】
【実施例】
以下、本発明の実施例について、図面を参照しながら説明する。なお、従来例と同じ構成のものは同一符号を付して説明を省略する。
【００２１】
（実施例１）
図１に示すように、温風循環経路２７は、ヒータ１３により加熱され、乾燥用送風機１２により内槽４内の吹き込まれた温風を熱交換器１０を通して循環させるもので、熱交換器１０の入口側に設けた排水口（排気口）１１に接続した排水弁２４を開くことにより、温風循環経路２７を循環する温風を排出するよう構成している。また、熱交換器１０の出口側に、外気を吸気する吸気口２８を設け、吸気弁２９により開閉するよう構成している。
【００２２】
ここで、制御装置（制御手段）３０は、モータ（駆動手段）８、クラッチ９、乾燥用送風機（送風手段）１２、ヒータ（加熱手段）１３、給水弁２３、排水弁２４、冷却用送風機（冷却送風手段）２５などの動作を制御し、洗い、すすぎ、脱水、乾燥の各行程を制御するとともに、排水弁２４を外槽３や熱交換器１０にて除湿された除湿水を排水のため所定時間ごとに開閉し、運転を開始し所定時間（乾燥率が約８５％に到達した時点で、図２の時刻ｔ１）経過後に、排水弁２４と吸気弁２９とを開放状態とするよう構成している。サーミスタ３１は温風循環経路２７を循環する温風の温度を検知し、温風の温度制御をするようにしている。他の構成は従来例と同じである。
【００２３】
上記構成において動作を説明する。なお、洗い行程から乾燥行程の基本的な動作は従来例の動作と同じであるので説明を省略する。
【００２４】
乾燥行程では、温風噴出口１８より内槽４に吹き込まれた温風は、洗濯物から水分を蒸発させた後、内槽４から外槽３の内側へ出た後、熱交換器１０へ至る。この湿気を含んだ温風が、外槽３の内壁や熱交換器１０内を通過しているとき、筐体１の側面に設置した冷却用送風機２５による外部空気の流入で、温風は除湿、冷却される。このように、温風循環経路１６で温風を循環させることにより、内槽４内の乾燥対象物を乾燥させることができる。
【００２５】
乾燥行程の運転を開始し、所定時間（乾燥率が約８５％に到達した時点）経過後に、排水弁２４と吸気弁２９とを開くと、温風循環経路１６を循環している湿気を含んだ温風の一部が、排水弁２４を通過して排水ホース２６より排出される。このとき、吸気弁２９を開放することにより乾いた空気を吸気し、除湿、冷却されて温風循環経路１６を循環する温風と混合され、乾燥用送風機１２へ戻る。
【００２６】
このように、乾燥行程の初期においては、衣類から蒸発水として循環風に含まれた水分は熱交換器１０で除湿して結露水として回収後機外へ排水し、所定時間経過し衣類に含まれる水分が少なくなってからは、湿った温風の一部を機外に排出しながら、新たな乾燥空気を機外より吸入し、ヒータ１３により加熱して乾燥に供することにより、外気温が高い場合や衣類のからみにより循環風量が低下した場合でも、内槽４への吹き出し風量を低減することなく、温風を供給することができ、乾燥時間を短くすることができる。
【００２７】
なお、本実施例では、乾燥行程の運転を開始し、所定時間経過後に、排水弁２４と吸気弁２９とを開くよう構成しているが、内槽４内に投入した衣類の量を検知し、衣類の量に応じて所定時間を変えることにより、衣類の量に関係なく、乾燥率が約８５％に到達した時点で、排水弁２４と吸気弁２９とを開くことができ、除湿量を著しく低下させることなく、乾燥時間を短くすることができる。
【００２８】
（実施例２）
図３から図５に示すように、吸気口２８は、ばね３１の押し力により閉塞するパッキング３２を有するロッド３３をギヤードモーター、電磁弁等の牽引装置３４により開閉するよう構成し、牽引装置３４より先端に径大部を設けたワイヤー３５をロッド３３を牽引するよう配設し、ロッド３３の牽引装置３４側は有底略円筒形とし、側面および底面の一部にワイヤー３５が通る切り欠き部３６を形成し、反底面側にて切り欠き部を大きくし、ワイヤー３５の先端の径大部３７を挿入可能としている。
【００２９】
上記構成において、ギヤードモーター、電磁弁等の牽引装置３４によりワイヤー３５を介してロッド３３を牽引し、吸気口２８を開閉することにより吸気口２８を開閉する機構とこれを駆動する牽引装置３４との連結を確実かつ簡略化することができ、コストを低減できるとともに、信頼性を向上することができる。
【００３０】
なお、本実施例では、ばね３１の押し力により閉塞するパッキング３２を有するロッド３３により吸気口２８を開閉するように構成しているが、排気口についても、同様にして開閉することができる。
【００３１】
【発明の効果】
以上のように本発明の請求項１に記載の発明によれば、筐体内に弾性的に吊支した外槽と、回転中心軸を略鉛直方向に有し前記外槽内に回転自在に支持し洗濯物を収容する内槽と、前記内槽の内底部に回転自在に設けた回転翼と、前記内槽または回転翼を駆動する駆動手段と、前記内槽内に送風する送風手段と、前記送風手段により送風される空気を加熱する加熱手段と、熱交換器を有し前記送風手段による温風を循環させる温風循環経路と、前記筐体内部に外部から冷却風を導入する冷却送風手段と、前記熱交換器への循環風の入り口側に開閉手段を有する排気口と、前記熱交換器の出口側に開閉手段を有する吸気口と、前記駆動手段、送風手段、加熱手段、冷却送風手段の動作を制御し、洗い、すすぎ、脱水、乾燥行程を制御する制御手段とを備え、前記制御手段は、乾燥行程開始から所定時間経過するまで、前記温風循環経路における温風を前記冷却送風手段により除湿、冷却しながら循環させ、所定時間経過後に、前記排気口と前記吸気口の開閉手段を開放して、前記温風循環経路を循環する湿気を含む温風の一部を前記排気口より排出し、前記吸気口より外気を吸気し前記温風循環経路を循環する温風と混合して前記加熱手段により加熱し、前記内槽内へ送風するようにしたから、乾燥行程の初期においては、衣類から蒸発水として循環風に含まれた水分は熱交換器で除湿し、温風循環経路で温風を循環させて内槽内の衣類を乾燥させ、所定時間経過後に、湿った温風の一部を排気口より排出しながら外気を吸気口より吸入し、加熱手段により加熱して乾燥に供することにより、外気温が高い場合や衣類のからみにより循環風量が低下した場合でも、内槽への吹き出し風量を低減することなく、温風を供給することができ、乾燥時間を短くすることができる。また、所定時間経過後は、衣類へ吹きかける温風の温度を低減できることから、乾燥終了時の衣類のしわを少なくすることができる。
【００３２】
また、ある程度除湿した後に、開閉手段を開放することにより、除湿量を著しく低下させることなく、乾燥時間を短くすることができる。
【００３３】
また、請求項２に記載の発明によれば、吸気口または排気口は、ばねの押し力により閉塞するパッキングを有するロッドをギヤードモーター、電磁弁などの牽引装置により開閉し、前記牽引装置より先端に径大部を設けたワイヤーを配設し、前記ロッドの牽引装置側を有底略円筒形とし、側面および底面の一部に前記ワイヤーが通る切欠部を形成し、反底面側にて前記ワイヤー先端の径大部を挿入可能としたから、吸気口または排気口を開閉する機構とこれを駆動する牽引装置との連結を確実かつ簡略化することができ、コストを低減できるとともに、信頼性を向上することができる。
【図面の簡単な説明】
【図１】  本発明の第１の実施例の洗濯乾燥機の断面図
【図２】  同洗濯乾燥機の乾燥行程の温風吹き出し温度を示すタイムチャート
【図３】  本発明の第２の実施例の洗濯乾燥機の吸気口を開閉する開閉装置の断面図
【図４】  同開閉装置の要部拡大上面図
【図５】  同開閉装置の要部拡大断面図
【図６】  従来の洗濯乾燥機の断面図
【符号の説明】
１    筐体
３    外槽
４    内槽
６    回転翼
８    モータ（駆動手段）
１０  熱交換器
１１  排水口（排気口）
１２  乾燥用送風機（送風手段）
１３  ヒータ（加熱手段）
２５  冷却用送風機（冷却送風手段）
２７  温風循環経路
２８  吸気口
３０  制御装置（制御手段）
【図１】
0004423784.tif 000002
【図２】
0004423784.tif 000003
【図３】
0004423784.tif 000004
【図４】
0004423784.tif 000005
【図５】
0004423784.tif 000006
【図６】
0004423784.tif 000007